(57)【要約】【課題】本発明は、新規な熱転写シートを提供することを目的とする。【解決手段】本発明の熱転写シートは、色材層２，３，および４，ならびに保存性の異なる色材層１０を有する熱転写シートである。ここで、その保存性を変える方法として、色材層２，３，または４の染料・顔料と印画保存性の異なる染料・顔料を色材層１０に使用することが好ましい。また、その保存性を変える方法として、色材層２，３，または４に添加する安定化剤と異なる種類の安定化剤を色材層１０に添加することが好ましい。【選択図】      図２
2004330648.tif 000002
【特許請求の範囲】
【請求項１】
可視光下において視認困難なパターンを有する印画物であって、そのパターンが印画物を特定条件下で保存することにより、視認可能になることを特徴とする印画物の印刷方法。
【請求項２】
請求項１において、視認困難なパターンを形成するために少なくとも２種類の印画保存性の違う色材層を有することを特徴とする印刷方法。
【請求項３】
請求項２においてその少なくとも２種類の色材層が耐光性の差により特定パターンが視認可能となることを特徴とする印刷方法。
【請求項４】
少なくとも２種類の色材層は、耐光性に差があることを特徴とする熱転写シート。
【請求項５】
請求項４においてその耐光性を変える方法として、色材層に印画保存性の異なる染料・顔料を使用することを特徴とする熱転写シート。
【請求項６】
請求項４においてその耐光性を変える方法として、色材層に添加する安定化剤の種類または、添加量を変えることを特徴とする熱転写シート。
【請求項７】
請求項１において、視認困難なパターンを形成するために、異なる印画保存性を付与する少なくとも２種類の転写保護層を有することを特徴とする印刷方法。
【請求項８】
請求項７においてその少なくとも２種類の転写保護層が耐光性の差により特定パターンが視認可能となることを特徴とする印刷方法。
【請求項９】
少なくとも２種類の転写保護層は、耐光性に差があることを特徴とする熱転写シート。
【請求項１０】
請求項９においてその耐光性を変える方法として、転写保護層に添加する安定化剤の種類または、添加量を変えることを特徴とする熱転写シート。
【請求項１１】
１つの色材層の中に、印画時に視認困難なパターンが印画されるような、特定パターンが塗布されており、印画物を特定条件下で保存することによりそのパターンが視認可能になることを特徴とする熱転写シート。
【請求項１２】
請求項１１においてその特定条件下が光退色を利用したことを特徴とする熱転写シート。
【請求項１３】
請求項１２においてその耐光性を変える方法として、色材層に添加する安定化剤の種類または、添加量を変えることを特徴とする熱転写シート。
【請求項１４】
１つの転写保護層の中に、印画時に視認困難なパターンが印画されるような、特定パターンが塗布されており、印画物を特定条件下で保存することによりそのパターンが視認可能になることを特徴とする熱転写シート。
【請求項１５】
請求項１４においてその特定条件下が耐光性の差を利用したことを特徴とする熱転写シート。
【請求項１６】
請求項１５においてその耐光性を変える方法として、転写保護層に添加する安定化剤の種類または、添加量を変えることを特徴とする熱転写シート。
【発明の詳細な説明】
【０００１】
【発明の属する技術分野】
本発明は、印刷方法およびこの印刷方法に用いる熱転写シートに関する。
【０００２】
【従来の技術】
従来から、書類、金券、カード等の印刷物の偽造や改竄等を防止する為に、通常の可視光等では認識できないが、紫外線を照射したときに蛍光を発して識別可能とするために、任意のパターンに蛍光潜像を設けておく手段が公知である。この蛍光潜像を形成するには、一般に、蛍光発色インキを用いて印刷する方法が普通に用いられる（例えば、特許文献１参照。）。
【０００３】
一方、従来の文字や絵が浮き出る技術では、例えば紫外光を蛍光染料にあてる方法（例えば、特許文献１参照。）や、印画物を加熱する（古来技術のあぶり出しの様な）などの手法がある。
【０００４】
【特許文献１】
特開２０００−２１１２５５
【０００５】
【発明が解決しようとする課題】
上述のように、従来のセキュリティ性のある技術では例えば、蛍光染料に紫外光をあてるなどがある。しかし、この場合、紫外光照射機等の機材があれば容易に情報がもれてしまうという問題がある。
【０００６】
また、上述のように、従来の文字や絵が浮き出る技術では、例えば紫外光を蛍光染料にあてる方法や、印画物を加熱するなどの手法がある。しかし前者の場合、一般消費者は家庭において、機材の調達は難しく、さらに、浮き出た絵が定着されない。また後者の場合、印画物に引火する等のおそれがある。さらに、上記２方法の場合、即座に消費者が確認できるため、期待感を持続することができないという問題がある。
これらの問題を解決できる印刷方法は、いまだ存在しない。
【０００７】
本発明は、このような課題に鑑みてなされたものであり、新規な印刷方法およびこの印刷方法に用いる熱転写シートを提供することを目的とする。
【０００８】
【課題を解決するための手段】
本発明の印刷方法は、可視光下において視認困難なパターンを有する印画物であって、そのパターンが印画物を特定条件下で保存することにより、視認可能になるセキュリティ機能を付与した印画物の印刷方法である。
【０００９】
ここで、視認困難なパターンを形成するために少なくとも２種類の印画保存性の違う色材層を有することが好ましい。また、その少なくとも２種類の色材層が耐光性の差により特定パターンが視認可能となることが好ましい。また、視認困難なパターンを形成するために、異なる印画保存性を付与する少なくとも２種類の転写保護層を有することが好ましい。また、その少なくとも２種類の転写保護層が耐光性の差により特定パターンが視認可能となることが好ましい。
【００１０】
本発明の熱転写シートは、少なくとも２種類の色材層の耐光性に差がある熱転写シートである。
ここで、その耐光性を変える方法として、色材層に印画保存性の異なる染料・顔料を使用することが好ましい。また、その耐光性を変える方法として、色材層に添加する安定化剤の種類または、添加量を変えることが好ましい。
【００１１】
本発明の熱転写シートは、少なくとも２種類の転写保護層の耐光性に差がある熱転写シートである。
ここで、その耐光性を変える方法として、転写保護層に添加する安定化剤の種類または、添加量を変えることが好ましい。
【００１２】
本発明の熱転写シートは、１つの色材層の中に、印画時に視認困難なパターンが印画されるような、特定パターンが塗布されており、印画物を特定条件下で保存することによりそのパターンが視認可能になるものである。
ここで、その特定条件下が光退色を利用することが好ましい。また、その耐光性を変える方法として、色材層に添加する安定化剤の種類または、添加量を変えることが好ましい。
【００１３】
本発明の熱転写シートは、１つの転写保護層の中に、印画時に視認困難なパターンが印画されるような、特定パターンが塗布されており、印画物を特定条件下で保存することによりそのパターンが視認可能になる熱転写シートである。
ここで、その特定条件下が耐光性の差を利用したことが好ましい。また、その耐光性を変える方法として、転写保護層に添加する安定化剤の種類または、添加量を変えることが好ましい。
【００１４】
【発明の実施の形態】
以下、熱転写シートおよび印刷方法にかかる発明の実施の形態について説明する。
【００１５】
図１は、本発明に用いる熱転写シートの一例を示す断面図である。ここで、基材１の片面に色材層２、３、および４がある。色材層は、少なくとも染料または顔料とバインダーから構成される。色材層の他に、シート位置を検知するための検知マークなどを設けても良い。
【００１６】
色材層２、３、および４は、イエロー、マゼンタ、シアン色に相当するが、イエロー、マゼンタ、シアン色の順序は必ずしもこのとおりでなくても良い。その時イエロー、マゼンタ、シアン色材層のうちのいずれか１色に対し、染料または顔料とバインダーを有する印画保存性の異なる色材層１０を設ける。その際、印画保存性の異なる色材層１０は、もとの色材層と濃度色相が全く同じである必要はないが、他の２色との組合せにより、もとの色再現範囲とほぼ同じ色再現範囲であることが好ましい。その際保存性を変える手段として、染料・顔料の変更はもちろん、２，３，４と同じ色材層を用いて、その色材層に添加する紫外線吸収剤・酸化防止材などの安定化剤を増減させたり、種類を変えて、保存性を変えてもよい。
【００１７】
また、図３のように色材層はブラック色と保存性の違うブラック色の２色材だけでも良く、さらに、図４のようにイエロー、マゼンタ、シアン、ブラック、保存性の違う色材の５色材でも良い。
【００１８】
また、上記のシートの場合、プリンター側で任意のパターンを作成できるが、図５のように初めから熱転写シートに保存性の異なる同色相の特定パターンを付与していても構わない。
【００１９】
また、色材層の他に、図６のように印画後に印画面に転写して印画面を保護するための透明な転写保護層を設けても良い。その際保存性を変えるものとして、異なる印画保存性を付与する転写保護層１２でパターンを作成してもよい。その際印画保存性を変える要素として転写保護層中に添加されている安定化剤の種類・増減を変えてもよい。
【００２０】
また、色材層と同じように、上記のシートの場合、プリンター側で任意のパターンを作成できるが、図７のように初めから熱転写シートに保存性の異なる転写保護層の特定パターンを付与していても構わない。
【００２１】
今まで述べた、保存性の異なる色材層や転写保護層は１層とは限らず、保存性の異なる色材層や転写保護層を組み合わせても良いし、２層以上でも構わない。
【００２２】
色材層に含まれる染料は従来公知の各種染料、例えば、イエロー染料としてはアゾ系、ジスアゾ系、メチン系、スチリル系、ピリドン・アゾ系等およびその混合系、マゼンタ染料としては、アゾ系、アントラキノン系、スチリル系、複素環系アゾ色素等およびその混合系、シアン染料としては、アントラキノン系、ナフトキノン系、複素環系アゾ色素、インドアニリン系等およびその混合系が使用できる。さらに、異なる保存性の色材層を設ける場合は、上記染料の中で保存性の異なる２種類以上の染料を用いるのが好ましい。
【００２３】
上記の如き熱移行性染料を担持する為のバインダー樹脂としては、従来公知のものがいずれも使用出来、好ましいものを例示すれぱ、エチルセルロース、ヒドロキシエチルセルロース、エチルヒドロキシセルロース、ヒドロキシプロピルセルロース、メチルセルロース、酢酸セルロース、酢酪酸セルロース等のセルロース系樹脂、ポリビニルアルコール、ポリ酢酸ビニル、ポリビニルブチラール、ポリビニルアセタール、ボリビニルピロリドン、ボリアクリルアミド等のビニル系樹脂、ボリエステル等が挙げられるが、これらの中では、セルロース系、アセタール系、ブチラール系およびポリエステル系等が特に好ましい。
転写保護層は少なくとも樹脂から構成されるが、必要に応じて各種染料安定化剤や充填剤を添加することができる。
【００２４】
転写保護層に使用できる樹脂は種々のものが使用できるが、好ましくは転写先の印画紙と接着性の有る樹脂が好ましい。
【００２５】
また、安定化剤を用いて、色材層や転写保護層に異なる保存性を付与してもよい。ここでいう安定化剤とは、光エネルギ一、熱エネルギー、酸化作用等、染料を変質或いは分解する作用を吸収または遮断して染料の変質や分解を防止出来る薬剤であり、具体例としては従来合成樹脂の添加剤等として知られている酸化防止剤、紫外線吸収剤、光安定剤が挙げられる。
【００２６】
酸化防止剤としてはフェノール系、モノフェノール系、ビスフェノール系、アミン系等の一次酸化防止剤、或いは硫黄系、リン系等の二次酸化防止剤が挙げられ、例えぱ、具体的にはＳｕｍｉｌｉｚｅｒ  ＢＢＮ−Ｓ、ＳｕｍｉｌｉｚｅｒＢＨＴ、Ｓｕｍｉｌｉｚｅｒ  ＧＭ、ＳｕｍｉｌｉｚｅｒＭＢ、Ｓｕｍｉｌｉｚｅｒ  ＴＰＰ一Ｒ（住友化学工業（株）製）、ヨシノックス４２５、ヨシノックスＳＲ（吉富製薬（株）製）、Ｉｒｇａｎｏｘ  １０８１、Ｉｒｇａｎｏｘ一１２２２（チバガイギー社、Ｍａｒｋ  Ａ０−４０（アデカアーガス化学（株）製）等の商品名で市場から入手出来、いずれも本発明で使用することが出来る。
【００２７】
又、紫外線吸収剤としてはサリチル酸系、ベンゾフェノン系、ベンゾトリアゾール系、シアノアクリレート系等の紫外線吸収剤が拳げられ、例えぱ、具体的にはＴｉｎｕｖｉｎ  Ｐ、Ｔｉｎｕｖｉｎ２３４、Ｔｉｎｕｖｉｎ３２０、Ｔｉｎｕｖｉｎ３２７、Ｔｉｎｕｖｉｎ３２７、（チバガイギー社製）、Ｓｕｍｉｓｏｒｂ１１０、Ｓｕｍｉｓｏｒｂ１４０（住友化学工業（株）製）、Ｋｅｍｉｓｏｒｂ１１０、Ｋｅｍｉｓｏｒｂ１４０、Ｋｅｍｉｓｏｒｂ１２、Ｋｅｍｉｓｏｒｂ１３（ケミプロ化成（株）社製）、Ｕｖｉｎｕｌ  Ｘ−１９、Ｕｖｉｎｕｌ  Ｍｓ一４０（ＢＡＳＦ社製）、トミソーブ１００、トミソーブ６００（吉富製薬（株）製）、Ｖｉｏｓｏｒｂ−８０、Ｖｉｏｓｏｒｂ−９０（共同薬品（株）製）等の商品名で市場から入手出来いずれも本発明で使用することができる。
【００２８】
又、光安定剤としてはヒンダードアミン系等が挙げられ、例えば、具体的にはサノールＬＳ−７７０、サノールＬＳ−７６５、サノールＬＳ７７４（三共（株）製）、ＳｕｍｉｓｏｒｂＴＭ−０６１（住友化学工業（株）製）等の商品名で市場から入手出来、いずれも本発明で使用することが出来る。上記安定化剤は単独でも混合物としても使用出来る。
【００２９】
基材１は、従来公知の各種基材を用いることができる。例えば、ポリエステルフィルム、ポリスチレンフィルム、ポリプロピレンフィルム、ポリスルホンフィルム、ポリカーボネートフィルム、ポリイミドフィルム、アラミドフィルムなどである。基材厚みとしては、１〜３０μｍ、好ましくは２〜１０μｍである。
【００３０】
耐熱滑性層６は、必要に応じて各種充填剤やポリイソシアネート化合物を添加することができる。耐熱滑性層の好ましいバインダー樹脂としては、例えば、ポリエステル系樹脂、ポリアクリル酸エステル系樹脂、ポリ酢酸ビニル系樹脂、スチレンアクリレート系樹脂、ポリウレタン系樹脂、ポリオレフィン系樹脂、ポリスチレン系樹脂、ポリ塩化ビニル系樹脂ポリエーテル系樹脂、ポリアミド系樹脂、ポリカーボネート系樹脂、ポリエチレン樹脂、ポリプロピレン樹脂、ポリアクリレート樹脂、ポリアクリルアミド樹脂、ポリビニルクロリド樹脂、ポリビニルブチラール樹脂、ポリビニルアセトアセタール樹脂等が挙げられ、これらの中で特に好ましい樹脂、ポリビニルブチラール樹脂および、ポリアセトアセタール樹脂である。
【００３１】
耐熱滑性層に含まれる滑剤としては、燐酸エステル化合物、有機シリコーン、ポリエチレンフェニルポリシロキサン、脂肪酸アミド、脂肪酸エステル、長鎖脂肪族化合物、低分子量ポリプロピレン等が挙げられ、これらの中で特に好ましい滑剤は燐酸エステル化合物、有機シリコーンである。
【００３２】
耐熱滑性層に含まれる充填剤としてはシリカ、タルク、クレー、ゼオライト、酸化チタン、酸化亜鉛、カーボン等の無機充填剤や、シリコン樹脂、テフロン（登録商標）樹脂、ベンゾグアナミン樹脂等からなる有機充填剤が使用できる。
【００３３】
また、耐熱滑性層に含まれるポリイソシアネート化合物としては分子中に少なくとも２つ以上のイソシアネート基を有するイソシアネート化合物であれば特に限定されず、例えばトリレンジイソシアネート、４、４’−ジフェニルメタンジイシシアネート、４、４’−キシレンジイソシアネート、ヘキサメチレンジイソシアネート、４、４’−メチレンビス（シクロヘキシルイソシアネート）、メチルシクロヘキサン−２、４（または２、６）−ジイソシアネート、１、３−ジ（イソシアネートメチル）シクロヘキサン、イソホロンジイソシアネート、トリメチル・ヘキサメチレンジイソシアネート等や、ジイソシアネートとポリオールとを部分的に付加反応させたポリイソシアネートのアダクト体（ポリイソシアネートプレポリマー）、例えばトリレンジイソシアネートとトリメチロールプロパンとを反応させたアダクト体を使用することができる。
【００３４】
本発明の実施熊様では、熱転写シートの色材層・転写保護層は基本的には上記の材料から形成されるが、その他必要に応じて従来公知と同様な各種の染料・添加剤も包含し得るものである。この様な色材層は好ましくは適当な溶剤中に前記の昇華性染料、バインダー樹脂その他の任意成分を加えて各成分を溶解または分散させて染料層形成用塗料またはインキを調製し、基材フイルム上に塗布および乾燥させて形成する。
【００３５】
本実施の形態によれば、以下のことが言える。
印画物はどんな印画方式においても、染料・顔料に関わらず、色材層の劣化等により印画直後に比較し保存後の色相が変化する。例えば代表的な例として耐光性があり、直射日光に曝露されると画像が退色するという現象がある。又、直接光が当らない場合でも、例えぱ、室内、ファイル中、本の綴じ込み中でも変退色（暗変退色）するという現象がある。
【００３６】
本発明ではこの性質を利用し、図８に示すように、印画直後、可視光下において視認困難なパターンを有する印画物において、そのパターンが印画物を特定条件下で保存することにより、視認可能になることを特徴とする。
【００３７】
本発明においては、絵や文字が浮き出させるのに、染料の耐光性劣化等を利用するため、確認するのに時間を要する。そのため、印画物が盗難にあっても、情報が漏れるのに一定時間猶予ができる技術である。すなわち、太陽光暴露等自然環境を利用した方法で時間がかかるため、容易に確認できないのである。
【００３８】
また、本発明においては、太陽光暴露などの自然環境を利用し、文字や絵を浮き出させるため、消費者が一般家庭においても確認でき、さらにすぐには浮き出ないため、期待感を長期に渡り持続できる。さらに、以下のようなアミューズメント性がある。例えば、一見同じキャラクターの写真などでも、様々なコメントを後から浮き出させたり、自分の名前などを浮き出たせることにより、消費者それぞれ固有の印画物ができる。クイズや迷路のようなものを最初に印画したあとに、答えがあとから浮き出てくる。４コママンガなどを最初に印画したあとに、最後の“おち”が浮き出てくる。スクラッチのようなクジであとから、あたり・はずれが浮き出てくる。または、カードゲーム用等に、裏に一見ベタな絵を最初に印画したあとに、絵や文字を浮き出させることにより、中身確認防止のための包装袋なしでカードを作成することもできる。
なお、本発明は上述の実施の形態に限らず本発明の要旨を逸脱することなくその他種々の構成を採り得ることはもちろんである。
【００３９】
【実施例】
つぎに、本発明にかかる実施例について具体的に説明する。ただし、本発明はこれら実施例に限定されるものではないことはもちろんである。
【００４０】
まず、熱転写シートの作製方法について説明する。
厚さ６μｍのポリエステルフィルム（東レ（株）製、ルミラー）を基材としてまず下記色材層組成物または転写保護層組成物を乾燥厚１μｍとなるように塗布した。さらに、該シートのもう一方の面に下記耐熱滑性層組成物を乾燥厚０．５μｍとなるように塗布し評価用のシートを得た。
【００４１】
○色材層１
2004330648.tif 000003
【００４２】
○保存性の事なる色材層２
2004330648.tif 000004
【００４３】
○保存性の事なる色材層３
2004330648.tif 000005
【００４４】
○保存性の事なる色材層４
色材層組成
色材層は図９のようなグラビア版を用い、色材層１同一組成をパターン外に転写させ、色材層３同一組成をパターン内で転写させ、印画直後、目視上パターンが認識できない色材転写シートを得る。
耐熱滑性層組成
耐熱滑性層は色材層１と同一組成を用いる。
【００４５】
○転写保護層１
2004330648.tif 000006
【００４６】
○転写保護層２
2004330648.tif 000007
○保存性の事なる転写保護層３
転写保護層組成
図９のようなグラビア版を用い、転写保護層１同一組成をパターン外に転写させ、転写保護層２同一組成をパターンで転写させ、印画直後、目視上パターンが認識できない転写保護層転写シートを得る。
耐熱滑性層組成
耐熱滑性層は色材層１と同一組成を用いる。
【００４７】
実施例１、２の熱転写シートについて、得られた色材層１の熱転写シートをＵＰＣ２０１０リボン（ソニー（株）製、ＵＰ−Ｄ２５５０用プリントメディア）のＹｅｌｌｏｗ部に切貼りし、ＵＰ−Ｄ２５５０（ソニー（株）製）のプリンターにてＵＰＣ２０１０の印画紙に印画をした。さらに新しいＵＰＣ２０１０リボンのＹｅｌｌｏｗ部に保存性の異なる色材層２または３を有するシートを切貼りし、先ほど得られた印画物を同じようにＵＰ−Ｄ２５５０のプリンターにてＵＰＣ２０１０の印画紙に印画し、グレーベタの印画物を得た。その際の印画パターン・印画データは、図１０のようにする。１度目のパターン内のＹｅｌｌｏｗ部分、２度目のパターン外のＹｅｌｌｏｗ部分、２度目のＭａｇｅｎｔａ、Ｃｙａｎ部分は白データである。１度目のパターン外のＹｅｌｌｏｗ部分、２度目のパターン内のＹｅｌｌｏｗ部分はグレー色データである。また、１度目のパターン外のＭａｇｅｎｔａ、Ｃｙａｎ部分はグレー色データである。ただし、パターン内については、１度目のＭａｇｅｎｔａ、Ｃｙａｎ部分、および２度目の保存性の異なるＹｅｌｌｏｗ部分は、パターン外のグレーと同一の濃度・色相が出る印画データを使用し印画する。印画データの作成にはＰｈｏｔｏｓｈｏｐ５．５（Ａｄｏｂｅ社）を使用し、パソコンからのデータ出力により印画を行った。
【００４８】
実施例３の熱転写シートについては得られた色材層４の熱転写シートをＵＰＣ２０１０リボンのＹｅｌｌｏｗ部に切貼りし、ＵＰ−Ｄ２５５０（ソニー（株）製）のプリンターにてＵＰＣ２０１０の印画紙にグレーベタの印画を行った。
【００４９】
実施例４は、まずＵＰＣ２０１０リボンおよびＵＰＣ２０１０印画紙をＵＰ−Ｄ２５５０で印画し、グレーベタの印画物を得る。次に、転写保護層１をＵＰＣ２０１０のＹｅｌｌｏｗ部分、転写保護層２をＭａｇｅｎｔａ部分に切り貼りする。先ほど得られたグレーベタの印画物を切り貼りしたリボンで再印画する。その際の印画データは、パターン内のＹｅｌｌｏｗ部分およびパターン外のＭａｇｅｎｔａ部分はグレー色データ、Ｃｙａｎは白データを使用し、転写保護層１，２を転写させた印画物を得る。
【００５０】
実施例５は、まずＵＰＣ２０１０リボンおよびＵＰＣ２０１０印画紙をＵＰ−Ｄ２５５０で印画紙し、グレーベタの印画物を得る。次に、転写保護層３をＵＰＣ２０１０のＹｅｌｌｏｗ部分に切り貼りする。先ほど得られたグレーベタの印画物を切り貼りしたリボンで再印画する。その際の印画データはＹｅｌｌｏｗ部分にグレー色データ、Ｍａｇｅｎｔａ、Ｃｙａｎは白データを使用し、転写保護層３を転写させた印画物を得る。
【００５１】
それぞれ得られた印画物が目視でパターン認識できないことを確認した。また、キセノンロングライフウェザーメーター（スガ試験機（株））でＸｅを２７００００ｋＪ照射し、槽内温湿度：３０℃６５％で保存後目視にて、パターンが浮きでていることを確認した（表１参照）。
【００５２】
【表１】
2004330648.tif 000008
【００５３】
表１において、「印画後のパターン認識」の欄の×印は、パターンの存在が目視確認できないことを意味する。
また、「保存後のパターン認識」の○印は、パターンの存在が目視確認できることを意味する。
【００５４】
実施例１〜５において、今回条件の２７００００ｋＪはおおよそ南窓側に３ヶ月間暴露した照射量に相当する。
【００５５】
表１の結果から本発明の実施例は印画時に視認困難である特定パターンにおいて、太陽光暴露等自然環境を利用した方法で時間がかかるため、容易に確認できないが、ある特定条件下で印画物を保存することにより、その特定パターンが視認可能となる。
【００５６】
【発明の効果】
本発明は、以下に記載されるような効果を奏する。
本発明は、新規な印刷方法およびこの印刷方法に用いる熱転写シートを提供することができる。
【図面の簡単な説明】
【図１】本発明に用いる熱転写シートの一例を示す断面図である。
【図２】本発明に用いる熱転写シートの他の例を示す平面図である。
【図３】本発明に用いる熱転写シートの他の例を示す平面図である。
【図４】本発明に用いる熱転写シートの他の例を示す平面図である。
【図５】本発明に用いる熱転写シートの他の例を示す平面図である。
【図６】本発明に用いる熱転写シートの他の例を示す平面図である。
【図７】本発明に用いる熱転写シートの他の例を示す平面図である。
【図８】印画物の保存により、パターンが視認可能となる様子を模式的に示した図である。
【図９】グラビア版を用いる、色材層の形成方法を示す図である。
【図１０】熱転写シートによる、印画方法を示す図である。
【符号の説明】
１‥‥基材、２，３，４，５‥‥色材層、６‥‥耐熱滑性層、７‥‥転写保護層、８‥‥検知マーク、１０‥‥保存性の異なる色材層、１１‥‥パターン、１２‥‥保存性の異なる転写保護層
【図１】
2004330648.tif 000009
【図２】
2004330648.tif 000010
【図３】
2004330648.tif 000011
【図４】
2004330648.tif 000012
【図５】
2004330648.tif 000013
【図６】
2004330648.tif 000014
【図７】
2004330648.tif 000015
【図８】
2004330648.tif 000016
【図９】
2004330648.tif 000017
【図１０】
2004330648.tif 000018